(57)【要約】【課題】取手が取り付けられる被取付物の重量が重くなっても、取手の把持部を片手で把持した状態での足腰への負担を軽減できるようにする。【解決手段】取手３は、鞄本体２に下端部が取り付けられる第１脚部５と、第１脚部５に対して所定間隔をあけて鞄本体２に下端部が取り付けられる第２脚部６と、第１脚部５の上端部と第２脚部６の上端部とを連結している把持部７と、を備え、把持部７の第１脚部５側に人差し指ｆ２を配置するとともに、把持部７の第２脚部６側に小指ｆ５を配置した状態で、把持部７が片手で把持される。把持部７は、当該把持部７の鞄本体２からの高さが第１脚部５側から第２脚部６側に向かって徐々に高くなるように傾斜して形成されている。【選択図】図２
2020103513.tif 000002
【特許請求の範囲】
【請求項１】
被取付物に下端部が取り付けられる第１脚部と、
前記第１脚部に対して所定間隔をあけて前記被取付物に下端部が取り付けられる第２脚部と、
前記第１脚部の上端部と前記第２脚部の上端部とを連結している把持部と、を備え、
前記把持部の前記第１脚部側に人差し指を配置するとともに、前記把持部の前記第２脚部側に小指を配置した状態で、前記把持部が片手で把持される取手であって、
前記把持部は、当該把持部の前記被取付物からの高さが前記第１脚部側から前記第２脚部側に向かって徐々に高くなるように傾斜して形成されている、取手。
【請求項２】
前記把持部は、立位姿勢で前記片手を自然と握った状態で当該片手の親指を除く四指の基節骨部の裏側において人差し指から小指に向かって徐々に高くなる傾斜に合わせて傾斜している、請求項１に記載の取手。
【請求項３】
請求項１又は２のいずれか１項に記載の取手と、
前記取手の第１脚部及び第２脚部の各下端部が取り付けられた前記被取付物としての鞄本体と、を備える鞄。
【発明の詳細な説明】
【技術分野】
【０００１】
本発明は、取手、及び鞄に関する。
【背景技術】
【０００２】
例えば鞄の取手は、下端部が鞄本体にそれぞれ取り付けられて上方に延びる一対の脚部と、一対の脚部の上端部間において水平方向に真っすぐ延びてこれらの脚部同士を連結する把持部とを備えている。把持部の水平方向の長さは、片手で把持することができる程度の長さに形成されており、把持部を片手で把持することでかばんを持ち運びできるようになっている（例えば、特許文献１参照）。
【先行技術文献】
【特許文献】
【０００３】
【特許文献１】特開２０１０−２０７４３０号公報
【発明の概要】
【発明が解決しようとする課題】
【０００４】
鞄本体内に重たい荷物を収容した状態で取手の把持部を片手で把持すると、荷物の重みによって前記片手が下に引っ張られ、上半身が正常な立位姿勢から少し横に傾いた姿勢となる。このため、前記傾いた姿勢のまま鞄を持ち運びすると、足腰への負担が大きくなるという問題があった。
【０００５】
本発明は、このような事情に鑑みてなされたものであり、取手が取り付けられる被取付物の重量が重くなっても、取手の把持部を片手で把持した状態での足腰への負担を軽減できるようにすることを目的とする。
【課題を解決するための手段】
【０００６】
（１）本発明者は、鋭意研究を重ねた結果、立位姿勢で手を自然と握ったときに、親指を除く四指の基節骨部の裏側（手の甲側）が、人差し指から小指に向かって徐々に高くなるように傾斜することに着目し、この傾斜と同じ方向に取手の把持部を傾斜させることで、片手で把持部を把持したときに被取付物の重量を四指の各指で分散して支持できることを見出し、かかる知見に基づいて本発明を完成させた。
【０００７】
すなわち、本発明は、被取付物に下端部が取り付けられる第１脚部と、前記第１脚部に対して所定間隔をあけて前記被取付物に下端部が取り付けられる第２脚部と、前記第１脚部の上端部と前記第２脚部の上端部とを連結している把持部と、を備え、前記把持部の前記第１脚部側に人差し指を配置するとともに、前記把持部の前記第２脚部側に小指を配置した状態で、前記把持部が片手で把持される取手であって、前記把持部は、当該把持部の前記被取付物からの高さが前記第１脚部側から前記第２脚部側に向かって徐々に高くなるように傾斜して形成されている。
【０００８】
本発明の取手によれば、取手の把持部は、当該把持部の被取付物からの高さが第１脚部（人差し指）側から第２脚部（小指）側に向かって徐々に高くなるように傾斜して形成されているため、立位姿勢で取手の把持部を片手で把持したときに被取付物の重量を四指の各指で分散して支持することができる。これにより、被取付物が重たい場合でも、従来の取手に比べて、被取付物の重量を、把持部を介して片手で楽に支持することができる。その結果、被取付物の重量によって上半身が正常な立位姿勢から横に傾くのを抑制することができるため、足腰への負担を軽減することができる。
【０００９】
（２）前記把持部は、立位姿勢で前記片手を自然と握った状態で当該片手の親指を除く四指の基節骨部の裏側において人差し指から小指に向かって徐々に高くなる傾斜に合わせて傾斜しているのが好ましい。
この場合、立位姿勢で取手の把持部を片手で把持したときに、被取付物の重量を四指の各指でほぼ均等に分散して支持することができるため、被取付物の重量をさらに楽に片手で支持することができる。
【００１０】
（３）他の観点からみた本発明は、前記（１）又は（２）の取手と、前記取手の第１脚部及び第２脚部の各下端部が取り付けられた前記被取付物としての鞄本体と、を備える鞄である。
本発明の鞄によれば、取手の把持部は、当該把持部の鞄本体からの高さが第１脚部（人差し指）側から第２脚部（小指）側に向かって徐々に高くなるように傾斜して形成されているため、立位姿勢で取手の把持部を片手で把持したときに鞄本体の重量を四指の各指で分散して支持することができる。これにより、鞄本体内に重い荷物が収容された場合でも、従来の取手に比べて、鞄本体（荷物を含む）の重量を、把持部を介して片手で楽に支持することができる。その結果、鞄本体の重量によって上半身が正常な立位姿勢から横に傾くのを抑制できるため、足腰への負担を軽減することができる。
【発明の効果】
【００１１】
本発明によれば、取手が取り付けられる被取付物の重量が重くなっても、取手の把持部を片手で把持した状態での足腰への負担を軽減することができる。
【図面の簡単な説明】
【００１２】
【図１】本発明の実施形態に係る取手を備えた鞄を示す斜視図である。
【図２】取手の正面図である。
【図３】取手の右側面図である。
【図４】取手の平面図である。
【図５】図２のＡ−Ａ矢視断面図である。
【図６】図２のＢ−Ｂ矢視断面図である。
【図７】立位姿勢で片手を自然と握った状態を示す正面図である。
【発明を実施するための形態】
【００１３】
以下、本発明の実施の形態について図面を参照しながら説明する。
図１は、本発明の実施形態に係る取手を備えた鞄を示す斜視図である。図１において、本実施形態の鞄１は、鞄本体（被取付物）２と、鞄本体２に取り付けられる一対の取手３とを備えている。鞄本体２は、その上側に形成された開口（図示省略）から内部に荷物を収容することができる。各取手３は、鞄本体２の外側面２ａにおける上側の中央部に取り付けられている。
【００１４】
図２は取手３の正面図である。図３は取手３の右側面図であり、図４は取手３の平面図である。図５は図２のＡ−Ａ矢視断面図であり、図６は図２のＢ−Ｂ矢視断面図である。図２〜図５に示すように、取手３は、例えばプラスチックや金属等の変形しにくい材料からなる平板部材の中央をくり抜くことによって略台形口状に形成されている。図２において、取手３は、固定部４、第１脚部５、第２脚部６、及び把持部７を備えている。
【００１５】
固定部４は、鞄本体２の外側面２ａに沿って水平方向に延びて形成されている。固定部４には、その長手方向に所定間隔をあけて複数（図例では４個）の貫通孔４ａが厚み方向に貫通して形成されている（図６も参照）。各貫通孔４ａには、ボルトやリベット等の締結部材が挿入され、これらの締結部材によって鞄本体２の外側面２ａに固定部４が固定されている。
【００１６】
固定部４の一端部（図２の左端部）には、第１脚部５の下端部が接続されている。固定部４の他端部（図２の右端部）には、第２脚部６の下端部が接続されている。これにより、第１脚部５及び第２脚部６は、互いに図２の左右方向に所定間隔をあけて配置され、固定部４を介して鞄本体２に取り付けられている。
【００１７】
第１脚部５及び第２脚部６は、それぞれ鞄本体２の上縁よりも上方に延びて形成されており、下端部から上端部に向かって互いに徐々に近づくように鉛直方向に対して傾斜している。本実施形態では、第１脚部５は、鉛直方向に対して図２の右側に１５°傾斜している。また、第２脚部６は、鉛直方向に対して図２の左側に１５°傾斜している。
【００１８】
把持部７は、第１脚部５の上端部と第２脚部６の上端部とを連結している。把持部７の長手方向の長さは、片手で把持部７を把持できる程度の長さに設定されている。把持部７を片手で把持する際には、把持部７の第１脚部５側の一端部７ａに人差し指が配置され、把持部７の第２脚部６側の他端部７ｂに小指が配置される。
【００１９】
把持部７の一端部７ａと第１脚部５との接続部の内側、及び把持部７の他端部７ｂと第２脚部６との接続部の内側には、それぞれ内側円弧部（Ｒ面取り部）８が形成されている。同様に、把持部７の一端部７ａと第１脚部５との接続部の外側、及び把持部７の他端部７ｂと第２脚部６との接続部の外側には、それぞれ外側円弧部（Ｒ面取り部）９が形成されている。これらの内側円弧部８及び外側円弧部９により、把持部７の一端部７ａ及び他端部７ｂに対して人差し指及び小指を馴染ませることができる。
【００２０】
把持部７は、当該把持部７の鞄本体２の上縁からの高さが一端部７ａから他端部７ｂに向かって徐々に高くなるように傾斜して形成されている。具体的には、把持部７は、図７に示すように、立位姿勢で片手を自然と握った状態で、親指ｆ１を除く四指（人差し指ｆ２，中指ｆ３，薬指ｆ４，小指ｆ５）の各基節骨部ｆ２１，ｆ３１，ｆ４１，ｆ５１の裏側（手の甲側）において人差し指ｆ２から小指ｆ５に向かって徐々に高くなる傾斜に合わせて傾斜している。
【００２１】
ここで、人差し指ｆ２から小指ｆ５に向かって「徐々に高くなる傾斜に合わせて傾斜している」とは、前記徐々に高くなる傾斜と同一角度で傾斜している場合だけでなく、前記徐々に高くなる傾斜に対して±７°の範囲内で異なる角度で傾斜している場合も含む。
【００２２】
例えば、図５において、前記四指ｆ２〜ｆ５の基節骨部ｆ２１〜ｆ５１の裏側における人差し指ｆ２から小指ｆ５までを結ぶ仮想直線Ｋの、水平線に対する傾斜角度αが１１°である場合、図２において、把持部７における幅方向の中心線Ｃの、水平線（鞄本体２の上縁）に対する傾斜角度θは、４°〜１８°の範囲内で設定されていればよい。図２の例では、傾斜角度θは１７°に設定されている。
【００２３】
以上、本実施形態の取手３によれば、取手３の把持部７は、当該把持部７の鞄本体２からの高さが第１脚部５（人差し指ｆ２）側から第２脚部６（小指ｆ５）側に向かって徐々に高くなるように傾斜して形成されているため、立位姿勢で取手３の把持部７を片手で把持したときに鞄本体２の重量を四指の各指ｆ２〜ｆ５で分散して支持することができる。これにより、鞄本体２内に重い荷物が収容された場合でも、従来の取手に比べて、鞄本体２（荷物を含む）の重量を、把持部７を介して片手で楽に支持することができる。その結果、鞄本体２の重量によって上半身が正常な立位姿勢から横に傾くのを抑制できるため、足腰への負担を軽減することができる。
【００２４】
また、取手３の把持部７は、立位姿勢で片手を自然と握った状態で、親指ｆ１を除く四指ｆ２〜ｆ５の基節骨部ｆ２１〜ｆ５１の裏側において人差し指ｆ２から小指ｆ５に向かって徐々に高くなる傾斜に合わせて傾斜している。これにより、立位姿勢で取手３の把持部７を片手で把持したときに、鞄本体２の重量を四指の各指ｆ２〜ｆ５でほぼ均等に分散して支持することができるため、鞄本体２の重量をさらに楽に片手で支持することができる。
【００２５】
上記実施形態の取手３は、鞄本体２以外に、トレーニング用具等の他の被取付物にも適用することができる。また、取手３は、少なくとも第１脚部５、第２脚部６及び把持部７により構成されていればよい。この場合、第１脚部５と第２脚部６の各下端部を被取付物に直接取り付ければよい。また、本実施形態の鞄１は、一対の取手３を備えているが、単一の取手３を備えたものであってもよい。
【００２６】
上記実施形態では、取手３の把持部７は、立位姿勢で片手を自然と握った状態で、親指ｆ１を除く四指ｆ２〜ｆ５の基節骨部ｆ２１〜ｆ５１の裏側において人差し指ｆ２から小指ｆ５に向かって徐々に高くなる傾斜に合わせて傾斜しているが、必ずしも当該傾斜に合わせる必要はない。
【００２７】
なお、今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００２８】
１  鞄
２  鞄本体（被取付物）
２ａ  外側面
３  取手
４  固定部
４ａ  貫通孔
５  第１脚部
６  第２脚部
７  把持部
７ａ  一端部
７ｂ  他端部
８  内側円弧部
９  外側円弧部
Ｃ  中心線
Ｋ  仮想直線
α  傾斜角度
θ  傾斜角度
ｆ１  親指
ｆ２  人差し指
ｆ３  中指
ｆ４  薬指
ｆ５  小指
ｆ２１，ｆ３１，ｆ４１，ｆ５１  基節骨部
【図１】
2020103513.tif 000003
【図２】
2020103513.tif 000004
【図３】
2020103513.tif 000005
【図４】
2020103513.tif 000006
【図５】
2020103513.tif 000007
【図６】
2020103513.tif 000008
【図７】
2020103513.tif 000009